(57)【要約】【課題】予備の送電線を支持するガイドワイヤを架設するための電設工事治具の電信柱に巻き付ける部分を、電信柱の外径に合わせて調節可能にする。【解決手段】金属製ワイヤである巻付部材１０の端部１０Ａの近傍を環状に曲げ、その先端部をクランプ２０で端部１０Ａの所定の位置に固定し、ガイドワイヤ支持部材１１を形成する。金属製ワイヤである張線機支持部材１２を環状に曲げ、その両端部をクランプ２１でガイドワイヤ支持部材１１の所定の位置に固定する。巻付部材１０の端部１０Ｂの近傍を環状に曲げられ、その先端部をクランプ２２で端部１０Ｂの所定の位置に固定し、係止部材１３を形成する。ガイドワイヤ支持部材１１に丸シンブル３０を設ける。巻付部材１０をゴム製のホース１４で被覆する。巻付部材１０を電信柱に巻き付け、端部１０Ａを係止部材１３に挿通させ、電信柱を締め付け、巻付部材１０の任意の位置を係止部材１３で係止する。【選択図】        図１
2004328857.tif 000002
【特許請求の範囲】
【請求項１】
電気工事中に設置される予備の送電線を支持するガイドワイヤを電信柱間に架設するための電設工事治具であって、
電信柱に巻き付けられる巻付部材と、
前記巻付部材の一方の端部に設けられ、前記ガイドワイヤを支持するための第１の環状部材と、
前記第１の環状部材に近接して設けられ、前記ガイドワイヤを牽引する張線機を支持するための第２の環状部材と、
前記巻付部材の他方の端部に設けられ、前記一方の端部を挿通させることにより前記巻付部材の任意の位置が係合させられる第３の環状部材とを備えることを特徴とする電設工事治具。
【請求項２】
前記第１の環状部材は、前記巻付部材の前記一方の端部を環状に曲げ、その先端部を前記一方の端部の所定の位置に固定することにより形成され、
前記第３の環状部材は、前記巻付部材の前記他方の端部を環状に曲げ、その先端部を前記他方の端部の所定の位置に固定することにより形成されることを特徴とする請求項１に記載の電設工事治具。
【請求項３】
前記第２の環状部材は、前記第１の環状部材において、前記一方の端部の前記先端部が固定される固定位置から最も離れた位置と、この固定位置との間に設けられることを特徴とする請求項２に記載の電設工事治具。
【請求項４】
電信柱に対する摺動を防止すべく前記巻付部材に設けられる摺動防止部材を備えることを特徴とする請求項１に記載の電設工事治具。
【請求項５】
前記摺動防止部材が、前記巻付部材を被覆するゴム部材であることを特徴とする請求項４に記載の電設工事治具。
【請求項６】
前記巻付部材が、複数の金属製細線部材を撚り合わせたワイヤであることを特徴とする請求項１に記載の電設工事治具。
【請求項７】
前記巻付部材がチェーンで構成されることを特徴とする請求項１に記載の電設工事治具。
【請求項８】
前記巻付部材が布製のベルト状部材であることを特徴とする請求項１に記載の電設工事治具。
【発明の詳細な説明】
【０００１】
【発明の属する技術分野】
本発明は、予備の送電線を支持するガイドワイヤを電信柱間に架設するために用いられる電設工事治具に関する。
【０００２】
【従来の技術】
商用電源は、路上に所定の間隔をおいて設置された電信柱に架設された送電線を介して供給される。送電線の保守・点検等の電気工事をするときは、商用電源の供給が停止することがないよう予備の送電線が架設される。予備の送電線を取り付けるとき、まず、電信柱間にガイドワイヤを張り、このガイドワイヤにより予備の送電線が支持された状態で、予備の送電線の両端を対応するトランス等に接続する。ガイドワイヤを２本の電信柱間に架設するためには、それぞれの電信柱の外周面に環状に成形された取付部材を設置し、ガイドワイヤの一方の端部を一方の電信柱の取付部材に接続し、他方の端部を他方の電信柱の取付部材に接続する。
【０００３】
【発明が解決しようとする課題】
ところが、上述の取付部材の内径は調整することができない。一方、電信柱は固体毎に大きさが異なり、また１本の電信柱においても部分によって外径が異なる。従って、作業者は、電信柱において取付部材を取り付ける位置の外径に適合する取付部材が特定されるまで、内径の異なる複数の取付部材を電信柱に巻きつけては外すという作業を繰り返さなければならない。その結果、１本のガイドワイヤを架設するために多くの時間と労力を要し、作業者にとって大きな負担となっていた。
【０００４】
本発明は以上の問題を解決するものであり、電気工事において予備の送電線を支持するガイドワイヤを架設する作業の作業効率を上げることを目的とする。
【０００５】
【課題を解決するための手段】
本発明に係る電設工事治具は、電気工事中に設置される予備の送電線を支持するガイドワイヤを電信柱間に架設するための電設工事治具であって、電信柱に巻き付けられる巻付部材と、巻付部材の一方の端部に設けられ、ガイドワイヤを支持するための第１の環状部材と、第１の環状部材に近接して設けられ、ガイドワイヤを牽引する張線機を支持するための第２の環状部材と、巻付部材の他方の端部に設けられ、一方の端部を挿通させることにより巻付部材の任意の位置が係合させられる第３の環状部材とを備えることを特徴とする。
【０００６】
本発明によれば、巻付部材の一方の端部を、巻付部材の他方の端部に設けられた第３の環状部材に挿通させ、巻付部材の任意の位置を第３の環状部材に係合させるよう構成される。従って、作業者は、巻付部材の係合位置を適宜調整することにより、巻付部材により形成される輪の内径のサイズを、電信柱の外径に応じて自由に調節することができる。その結果、電気工事におけるガイドワイヤの架設作業の作業効率が向上する。
【０００７】
好ましくは、第１の環状部材は、巻付部材の一方の端部を環状に曲げ、その先端部をこの一方の端部の所定の位置に固定することにより形成され、第３の環状部材は、巻付部材の他方の端部を環状に曲げ、その先端部をこの他方の端部の所定の位置に固定することにより形成される。
【０００８】
好ましくは、第２の環状部材は、第１の環状部材において、一方の端部の先端部が固定される固定位置から最も離れた位置と、この固定位置との間に設けられる。これにより、ガイドワイヤを張線機で牽引する際、第２の環状部材に大きな張力が加わり変形しても、張線機の牽引力が第１の環状部材に影響を及ぼすことがない。従って、ガイドワイヤの第１の環状部材への取付に支障をきたすことがない。
【０００９】
好ましくは、電信柱に対する摺動を防止すべく巻付部に摺動防止部材を設ける。この摺動防止部材は、例えば巻付部を被覆するゴム部材である。
【００１０】
摺動防止部材を設けることにより、電設工事治具の取付作業、及びガイドワイヤの架設作業の最中、巻付部が電信柱の周方向や軸方向に沿ってずれたり、電設工事治具が下方に滑落することが防止される。従って、作業効率がより向上すると共に、治具の落下による危険が防止される。
【００１１】
巻付部は、例えば、複数の金属製細線部材を撚り合わせたワイヤ、チェーン、若しくは布製のベルト状部材でもよい。
【００１２】
【発明の実施の形態】
以下、本発明の実施の形態を図面を参照して説明する。図１は、本発明に係る実施形態が適用される電設工事治具の外観図である。電設工事治具１の巻付部材１０は、複数の金属製の線状部材を撚り合わせた１本のワイヤである。巻付部材１０は可撓性を有し、かつ所定の弾性力を有する。巻付部材１０の一方の端部１０Ａの近傍は環状に曲げられ、その先端部がアルミ製のクランプ２０により端部１０Ａの所定の位置に固定されている。これにより環状のガイドワイヤ支持部材１１（第１の環状部材）が形成されている。
【００１３】
環状の張線機支持部材１２（第２の環状部材）は、巻付部材１０と同様の金属製ワイヤである。張線機支持部材１２は環状に曲げられ、その両端部がアルミ製のクランプ２１によりガイドワイヤ支持部材１１に固定される。張線機支持部材１２はガイドワイヤ支持部材１１に近接して設けられ、その固定される位置は、ガイドワイヤ支持部材１１においてクランプ２０から最も離れた位置とクランプ２０との間である。
【００１４】
巻付部材１０の他方の端部１０Ｂの近傍も環状に曲げられ、その先端部がアルミ製のクランプ２２により端部１０Ｂの所定の位置に固定されている。これにより環状の係止部材１３（第３の環状部材）が形成される。
【００１５】
このように、巻付部材１０、ガイドワイヤ支持部材１１、及び係止部材１３は単一の金属製ワイヤであり、張線機支持部材１２は別体の金属製ワイヤである。
【００１６】
ガイドワイヤ支持部材１１には、丸シンブル３０が設けられる。丸シンブル３０は略円筒状を呈し、軸心と同軸的に形成される穴にガイドワイヤ支持部材１１が挿通する。丸シンブル３０の外周面は周方向に沿って丸溝が形成されている。
【００１７】
巻付部材１０は、ガイドワイヤ支持部材１１及び係止部材１３を除いて、ゴム製のホース１４により被覆される。
【００１８】
図２は、電設工事治具１を電信柱に取り付けた状態を示す図である。巻付部材１０を電信柱の外周面に巻き付け、端部１０Ａを係止部材１３に挿通させる。そして、巻付部材１０により形成される輪の内径が電信柱の外径に一致するよう、巻付部材１０の係止部材１３と係合する位置を移動させながら、巻付部材１０で電信柱を締め付ける。このように、係止部材１３との係合位置を任意に定めることができるため、巻付部材１０により形成される輪の大きさを電信柱の外径に合わせて自由に調節することができる。また、ホース１４で巻付部材１０を被覆しておくことにより、巻付部材１０が電信柱の周方向や軸方向に沿って摺動したり、電設工事治具１が滑落することが防止される。
【００１９】
図３は、電信柱間に架設されるガイドワイヤの一方の端部を示す図である。ガイドワイヤ４０は複数の金属製の線状部材を撚り合わせた部材である。ガイドワイヤ４０の先端部近傍には鋼より線４１が固定されている。鋼より線４１は、両端部をガイドワイヤ４０に巻き付けることにより取り付けられ、環状の係合部４１Ａを形成する。この鋼より線４１は、ガイドワイヤ４０の両端部に巻き付けられる。
【００２０】
図４は、ガイドワイヤ４０を牽引する張線機５０を示す図である。張線機５０の本体５１とカムラー５２はベルト５３で接続されている。ガイドワイヤ４０はカムラー５２に掴持される。本体５１に設けられるハンドル５４を操作することにより、ベルト５３が本体５１に巻き取られ、カムラー５２が本体５１へ近づく方向へ移動する。また、本体５１においてカムラー５２が位置する反対側の位置にはフック５５が設けられる。
【００２１】
ガイドワイヤ４０は以下の手順を踏んで２本の電信柱間に架設される。一方の電信柱（支持側電信柱）に取り付けられた電設工事治具１のガイドワイヤ支持部材１１の丸シンブル３０に、ガイドワイヤ４０の一方の端部（支持端部）に巻きつける鋼より線４１の係合部４１Ａを係合させる。他方の電信柱（取付側電信柱）に取り付けられた電設工事治具１の張線機支持部材１２に、張線機５０のフック５５を係合させる。ガイドワイヤ４０の他方の端部（取付端部）近傍を張線機５０のカムラー５２で掴持する。ガイドワイヤ４０のカムラー５２に掴持された箇所から取付端部の先端部までは自由な状態である。この状態で、張線機５０のベルト５３が本体５４に巻き取られるようハンドル５５を操作すると、カムラー５２が本体５４に近づく方向へ牽引される。その結果、ガイドワイヤ４０が所定の張力で緊張される。
【００２２】
上述のように、ガイドワイヤ４０のカムラー５２に掴持された箇所から取付端部の先端部までは自由な状態にある。すなわち、ガイドワイヤ４０が支持端部とカムラー５２との間で緊張されていても、取付端部近傍は自由である。従って、張線機５０のハンドル５５の操作によりカムラー５２が本体５１へ近づけられれば、鋼より線４１の係合部４１Ａを取付側電信柱の電設工事治具１のガイドワイヤ支持部材１１の丸シンブル３０の丸溝に係合させた状態で、鋼より線４１をガイドワイヤ４０の取付端部に巻き付けることができる。これにより、ガイドワイヤ４０が２つの電信柱の間に架設される。
【００２３】
張線機５０のハンドル５５の操作によりガイドワイヤ４０を緊張させるとき、張線機５０のフック５５が係合する、取付側電信柱の電設工事治具１の張線機支持部材１２は張力により変形する。しかし、張線機支持部材１２は、ガイドワイヤ支持部材１１においてクランプ２０から最も離れた位置とクランプ２０との間に固定されているため、張線機５０の牽引力に起因する張力が張線機支持部材１２を介してガイドワイヤ支持部材１１に伝達されても、ガイドワイヤ支持部材１１は変形しない。従って、ガイドワイヤ４０の取付端部の鋼より線４１をガイドワイヤ支持部材１１の丸シンブル３０に係合させる作業に支障をきたすことがない。
【００２４】
上述のように、巻付部材１０は弾性力を有している。従って、巻付部材１０を電信柱の外周面に巻き付け、端部１０Ａを係止部材１３に挿通させ、電信柱を締め付けた状態において、巻付部材１０は、係止部材１３との係合位置から鉛直方向に垂れ下がることなく、水平方向に対して所定の角度姿勢を保持する（図２参照）。すなわち、丸シンブル３０にガイドワイヤ４０の鋼より線４１の係合部４１Ａを係合させる作業や、張線機支持部材１２に張線機５０のフック５５を係合させる作業において、巻付部材１０は、係止部材１３との係合位置から端部１０Ａに至る部分が作業者が手に取り易い位置に位置している。従って、これらの作業が容易に行われ、作業効率が向上する。
【００２５】
尚、本実施形態では巻付部材１０を金属製のワイヤで構成しているがこれに限るものではなく、チェーンを用いてもよい。巻付部材１０がチェーンであれば、係止部材１３との係合位置において折り曲げられたまま元の形状に復元されないということがないため、複数回の使用が可能となる。また、巻付部材１０にナイロンやポリエステル等の布製ベルトを用いてもよい。金属製のワイヤやチェーンに比べ作業者の手を傷付けることがないため、作業の安全性が保証される。
【００２６】
巻付部材１０にチェーンや布製ベルトを用いる場合も、摺動によるずれや滑落防止のためにホース１４で被覆する。特に布製ベルトの場合、ホース１４で被覆することにより、長年の使用により粗面となった電信柱の外周面に直接接触することがないため、磨耗を防止する効果が得られる。
【００２７】
【発明の効果】
以上のように、本発明によれば、予備の送電線を支持するガイドワイヤの架設作業の作業効率が向上する。
【図面の簡単な説明】
【図１】本発明に係る実施形態が適用される電設工事治具の外観図である。
【図２】電設工事治具を電信柱に取り付けた状態を示す図である。
【図３】電信柱間に架設されるガイドワイヤの端部を示す図である。
【図４】ガイドワイヤを牽引させる張線機を示す図である。
【符号の説明】
１  電設工事治具
１０  巻付部材
１１  ガイドワイヤ支持部材
１２  張線機支持部材
１３  係止部材
２０、２１、２２  クランプ
３０  丸シンブル
【図１】
2004328857.tif 000003
【図２】
2004328857.tif 000004
【図３】
2004328857.tif 000005
【図４】
2004328857.tif 000006